(57)【特許請求の範囲】
【請求項１】
窓面を覆うスクリーンと、該スクリーンの後方の窓側において開閉部材により角度調節可能としたスラットとを巻取軸に一括して巻取り可能とした巻取り型ブラインドにおいて、
前記スラットは、織布の前後両端部に剛性部を形成するとともに中間部に可撓性を備え、前記開閉部材としてのラダーテープの横糸で支持され、
前記ラダーテープは、前記巻取軸に巻取り可能に吊下支持されるとともに、前記スラットは、前記巻取軸の回転により角度調節可能とされ、
前記スクリーンは、前記スラットの前方の室内側に位置するラダーテープに取着されるとともに、透視性を備えた織布に透明フィルムを接着して構成され、
前記スクリーンは、前記織布を室内側として前記室内側に位置するラダーテープに取着されており、
前記ラダーテープの下端にはボトムレールが取着されるとともに、前記スクリーンの両側には前記ボトムレールを上下動可能に且つ回動可能に支持するガイドレールが上下方向に延設され、
前記ボトムレールには、前記ガイドレールに支持されるとともに該ボトムレールの回動支点を構成するローラーが、該ボトムレールの前後方向中心から前方にオフセットした位置に取着されて、前記スクリーンの昇降時に該スクリーンを前記ガイドレールに沿って垂直方向に維持可能としたことを特徴とする巻取り型ブラインド。
【請求項２】
前記剛性部は、袋状部に支え棒を挿入して形成したことを特徴とする請求項１記載の巻取り型ブラインド。
【請求項３】
前記スラットに挿通孔を設け、該挿通孔に位置ずれ防止テープを挿通したことを特徴とする請求項１又は２記載の巻取り型ブラインド。
【請求項４】
前記ガイドレールの上端には、前記スクリーンの巻き上げ位置を前後方向に規制する案内ローラーが取着されていることを特徴とする請求項１乃至３のいずれか１項に記載の巻取り型ブラインド。
【請求項５】
請求項１乃至４のいずれか１項に記載の巻取り型ブラインドを窓面に沿って吊下支持し、前記窓面と巻取り型ブラインドとの間の排気エリアの上方に排気手段を設けたことを特徴とするエアフローシステム。
【発明の詳細な説明】
【技術分野】
【０００１】
この発明は、スラットを巻取軸に巻取り可能とした横型ブラインドに関するものである。
【背景技術】
【０００２】
横型ブラインドは、ヘッドボックスから吊下支持されるラダーコードに多数段のスラットが支持され、ラダーコードを介して各スラットを角度調節することにより、室内への採光量を調節可能である。
【０００３】
特許文献１には、横型ブラインドの各スラットの室内側の端縁に沿って透光性を備えたフィルムを配設したものが開示されている。すなわち、各スラットの側縁が連続したフィルムに結合され、そのフィルムでブラインドの室内側が閉塞され、各スラット間においてフィルムには折り目が設けられている。
【０００４】
このような横型ブラインドを窓の近傍に吊下支持したエアフローシステムでは、フィルムと窓面との間に形成される空間（排気エリア）と室内との通気性が同フィルムにより遮断される。従って、この空間内において日射により暖められた空気あるいは窓外の冷気により冷やされた空気を排気ダクトから排出して、室内への流入を阻止することにより、室内の空調効率の向上を図ることが可能となる。
【０００５】
また、スラットを角度調節することにより、室内への採光量を調節可能であるとともに、スラットを上方へ畳み込むことにより、窓面を開放可能である。スラットを畳み込む時には、各スラット間においてフィルムにそれぞれ設けられた折り目により、フィルムがスラットの間に畳まれる。
【０００６】
特許文献２には、ロールスクリーンのスクリーン背面に横型ブラインドのスラットを備え、ロールスクリーンと横型ブラインドの機能を併せ持つ巻取り型ブラインドが開示されている。この横型ブラインドのスラットは、平板状の硬い基板で形成される。
【特許文献１】実公平７−２７３５６号公報
【特許文献２】特許第３２４８０１４号公報
【発明の開示】
【発明が解決しようとする課題】
【０００７】
特許文献１に記載されたエアフローシステムでは、フィルムが室内に露出されるので、室内の照明器具の光がフィルム表面から反射されたり、あるいは照明器具等がフィルム表面に映り込んだりして、居住者に不快感を与えるという問題点がある。
【０００８】
また、スラットを最下限まで下降させた状態でも、折り目によりフィルム表面が完全に平滑状態とはならないので、照明光の反射あるいは映り込みが助長されることもある。
特許文献２に記載された巻取り型ブラインドをエアフローシステムに使用すると、カーテン地が通気性を備えているので、排気エリアと室内との間の空気の流れをカーテン地で遮断することができず、空調効率が低下する。
【０００９】
また、スラットには通気性がないので、排気エリア内の空間を排気ダクトから排出する場合に、各スラットが空気の流れを阻害するため、熱気あるいは冷気の排気効率が低下するという問題点がある。
【００１０】
さらに、スラットが硬い基板で形成されているため、回転シリンダーにスラットを巻き取る際、基板の角部がカーテン地に当接して、カーテン地に折皺が形成されるという問題点もある。
【００１１】
この発明の目的は、エアフローシステムに使用した場合に、排気エリア内の空気の排気効率を向上させ、室内への採光量を調節可能とし、排気エリアと室内との間の空気の流れをスクリーンで遮断しながら透視性を確保し、かつスクリーンから室内への光の反射を防止し得る巻取り型ブラインドを提供することにある。
【課題を解決するための手段】
【００１２】
上記目的は、窓面を覆うスクリーンと、該スクリーンの後方の窓側において開閉部材により角度調節可能としたスラットとを巻取軸に一括して巻取り可能とした巻取り型ブラインドにおいて、前記スラットは、織布の前後両端部に剛性部を形成するとともに中間部に可撓性を備え、前記開閉部材としてのラダーテープの横糸で支持され、前記ラダーテープは、前記巻取軸に巻取り可能に吊下支持されるとともに、前記スラットは、前記巻取軸の回転により角度調節可能とされ、前記スクリーンは、前記スラットの前方の室内側に位置するラダーテープに取着されるとともに、透視性を備えた織布に透明フィルムを接着して構成され、前記スクリーンは、前記織布を室内側として前記室内側に位置するラダーテープに取着されており、前記ラダーテープの下端にはボトムレールが取着されるとともに、前記スクリーンの両側には前記ボトムレールを上下動可能に且つ回動可能に支持するガイドレールが上下方向に延設され、前記ボトムレールには、前記ガイドレールに支持されるとともに該ボトムレールの回動支点を構成するローラーが、該ボトムレールの前後方向中心から前方にオフセットした位置に取着されて、前記スクリーンの昇降時に該スクリーンを前記ガイドレールに沿って垂直方向に維持可能とした巻取り型ブラインドにより達成される。
【発明の効果】
【００１３】
本発明によれば、エアフローシステムに使用した場合に、排気エリア内の空気の排気効率を向上させ、室内への採光量を調節可能とし、排気エリアと室内との間の空気の流れをスクリーンで遮断しながら透視性を確保し、かつスクリーンから室内への光の反射を防止し得る巻取り型ブラインドを提供することができる。
【発明を実施するための最良の形態】
【００１４】
以下、この発明を具体化した一実施の形態を図面に従って説明する。図１及び図２に示す巻取り型ブラインドは、窓上部の取付面に取着される取付ブラケット１ａ，１ｂ間に巻取軸２が回転可能に支持されている。前記巻取軸２の一端から操作コード３が垂下されている。その操作コード３は、巻取軸２の一端に設けられたプーリー（図示しない）に掛装され、操作コード３の操作によりプーリーを介して巻取軸２が回転される。
【００１５】
図４に示すように、前記巻取軸２にはラダーテープ４の上端が取着され、そのラダーテープ４の横糸４ａ上には、それぞれスラット５が支持されている。また、ラダーテープ４の下端にはボトムレール６が取着されている。
【００１６】
従って、巻取軸２の回動にともない、ラダーテープ４を介して各スラット５及びボトムレール６が同位相で回動される。
前記スラット５は合成繊維による平織の布で形成され、図６に示すように、前後方向両端部に形成された袋状部７にグラスファイバー製の支え棒８が挿入されて、剛性部が形成されている。従って、スラット５はその中間部に可撓性及び通気性を備えるとともに、剛性部の作用により横糸４ａ上で平板状に保持される。
【００１７】
前記各スラット５の幅方向中央部には挿通孔５ａが形成され、前記横糸４ａに支持される位置においてその挿通孔５ａには位置ずれ防止テープ９が上下方向に挿通されている。図４に示すように、その位置ずれ防止テープ９の上端は前記巻取軸２に取着され、下端は前記ボトムレール６に取着されている。
【００１８】
そして、ボトムレール６が下限まで下降している状態では、位置ずれ防止テープ９が巻取軸２とボトムレール６との間で緊張されて、各スラット５の横ずれ、すなわち図１における左右方向のずれが防止される。
【００１９】
図２に示すように、前記巻取軸２から室内側に垂下されるラダーテープ４には、スクリーン１０が縫着されている。このスクリーン１０は、前記巻取軸２から垂下される前記スラット５、ボトムレール６及びラダーテープ４を全面に亘って覆うものであり、図７に示すように、ガラス繊維の織布１１に塩化ビニールの透明フィルム１２が接着材で接着されて構成される。
【００２０】
この織布１１は、透視性を確保するために、各織糸間に所要の開口部が形成されるように粗く織られたものであり、布面積に対する開口面積の割合が、２０±５％程度となるように織られている。従って、スクリーン１０は透視性及び断熱性を備え、且つ非通気性である。そして、織布１１が室内側となるように、ラダーテープ４が透明フィルム１２側に縫着されている。
【００２１】
前記スクリーン１０、ラダーテープ４及びスラット５は、巻取軸２に一括して巻取り可能である。すなわち、図２に示す状態から、操作コード３の操作により巻取軸２が矢印Ａ方向に回転されると、室内側に垂下されるラダーテープ４及びスクリーン１０が巻き上げられて、図８に示すように、各スラット５及びボトムレール６が垂直方向に回動される。
【００２２】
そして、巻取軸２がさらに同方向に回転されると、スクリーン１０、ラダーテープ４及びスラット５が巻取軸２に順次巻き取られる。このとき、図５に示すように、各スラット５は袋状部７間に可撓性を備えているので、巻取軸２の外周面に沿って中間部が変形して、円滑に巻き取られる。
【００２３】
前記スクリーン１０の両側には一対のガイドレール１３ａ，１３ｂが窓枠等に固定されて上下方向に延設されている。このガイドレール１３ａ，１３ｂは、図３に示すように、互いに対向する溝型に形成され、ボトムレールの両端に取着されたローラー１４を上下方向に移動可能に支持している。
【００２４】
前記ローラー１４は、ボトムレール６の前後方向の中心から前方すなわちスクリーン１０側にオフセットした位置に取着されている。そして、ボトムレール６はガイドレール１３ａ，１３ｂにより前後方向に位置決めされ、かつ昇降可能となっている。
【００２５】
前記ガイドレール１３ａ，１３ｂの上端には、前記スクリーンの巻き上げ位置を前後方向に規制する案内ローラー１５の両端部がブラケット１６を介して回転可能に支持されている。
【００２６】
この案内ローラー１５は、前記巻取軸２の下方において前記スクリーン１０に当接している。そして、巻取軸２にスクリーン１０が巻き取られて、図２に鎖線で示すように、巻取軸２の巻径が増大しても案内ローラー１５の下方では前記ガイドレール１３ａ，１３ｂに沿ってスクリーン１０が垂直面を維持した状態で、かつ前後方向に移動することなく巻き取られるようになっている。
【００２７】
図９は、上記のような巻取り型ブラインドを窓の内側に吊下支持して、エアフローシステムを構成する場合を示す。同図に示すように、窓Ｗ付近の天井面に設けられた収容部１７内に前記巻取軸２が設置され、その巻取軸２から前記スラット５及びスクリーン１０が吊下支持される。
【００２８】
また、巻取り型ブラインドと窓面Ｗとの間の空間（排気エリア）の上方において、収容部１７には排気ダクト１８が排気手段として設けられ、空調装置（図示しない）により排気エリア内の熱気あるいは冷気が排気ダクト１８から排出される。なお、排気手段は排気ダクト１８に限定されるものではなく、その他の排気システムで構成してもよい。また、空調装置を併設しないものであってもよい。
【００２９】
次に、上記のように構成された巻取り型ブラインド及びエアフローシステムの動作を説明する。図９に示すように、ボトムレール６を下限まで下降させた状態では、窓面Ｗはスクリーン１０に覆われた状態となる。
【００３０】
この状態では、窓面Ｗとスクリーン１０との間の空間は、非通気性のスクリーン１０により室内との空気の流通が抑制された状態となり、その空間内の熱気あるいは冷気が排気ダクト１８から排出されることにより、エアフローシステムが構成される。
【００３１】
このとき、室内からボトムレール６の下方を経て上記空間に流れ込む空気により、ボトムレールに窓面に向かう力が作用するが、ボトムレール６はガイドレール１３ａ，１３ｂにより前後方向に位置決めされているので、窓面に向かって揺動することはない。
【００３２】
また、室内側からの風圧によりスクリーン１０が撓もうとしても、スラット５の剛性によりスクリーン１０が平面状に維持される。
さらに、透明フィルム１２はスクリーン１０の室内側には露出されないので、透明フィルム１２の光沢で居住者に不快感を与えることもない。
【００３３】
図２に示すように、スラット５を水平方向とした場合には、透視性を備えたスクリーン１０により、室内に柔らかな外光を取り入れることが可能であり、この状態から巻取軸２を回転させてスラット５の角度を調節すれば、採光量を適宜に調節可能である。
【００３４】
巻取軸２を回転させてスクリーン１０を巻き上げると、ラダーテープ４及び位置ずれ防止テープ９とともにスラット５も巻取軸２に巻き取られる。このとき、図５に示すように、各スラット５は巻取軸２の外周面に沿って撓むので、巻取軸２に緊密に巻き取られる。また、位置ずれ防止テープ９及びラダーテープ４も薄いテープであるので、スラット５の巻径を増大させることはない。
【００３５】
また、巻取軸２からスクリーン１０を巻戻すと、ラダーテープ４及びスラット５も巻戻され、ボトムレール６を下限まで下降させると、各スラット５がラダーテープ４に水平方向に支持される状態に復帰する。
【００３６】
上記のように構成された巻取り型ブラインドでは、次に示す作用効果を得ることができる。
（１）スクリーン１０、ラダーテープ４及びスラット５を一括して昇降することができる。
（２）ボトムレール６を下限まで下降させた状態では、スクリーン１０によりエアフローシステムを構成することができる。また、この状態で巻取軸２を回転させることにより、ラダーテープ４を介してスラット５の角度を調節して、室内への採光量を調節することができる。
（３）スクリーン１０の室内側には透明フィルム１２が露出されない。従って、スクリーン１０からの照明光の反射及び照明器具等の映り込みを防止することができるので、居住者に不快感を与えることはない。
（４）透視性を備えた織布１１に透明フィルム１２を接着したので、透視性と非通気性を併せ持つスクリーン１０を構成することができる。
（５）スクリーン１０で室内と排気エリアとの空気の流れを遮断することができるので、排気エリア内の空気を排気ダクト（排気手段）１８から効率よく排気することができる。従って、室内の空調負荷を軽減することができる。
（６）各スラット５は通気性を備えているので、各スラット５で同スラット５間の空気を排気ダクト１８方向に通過させて、効率よく排気することができる。
（７）スクリーン１０は断熱性を備えているので、外光からスラット５に吸収された熱の室内への伝導を防止することができる。従って、室内の空調負荷を軽減することができる。
（８）スラット５はラダーテープ４の横糸４ａ上に支持されていて、透明フィルム１２と物理的に接続されていない。従って、スラット５で吸収した熱が透明フィルム１２を介して室内側に伝播することを防止することができる。
（９）スクリーン１０は織布１１に透明フィルム１２を接着材で接着して構成したので、透視性を確保することができる。すなわち、織布１１に透明フィルム１２を熱融着すると、加熱による透明フィルム１２の歪みが発生し、透視性が低下する。従って、上記実施の形態ではスクリーン１０の透視性を確保することが容易である。
（１０）スクリーン１０、位置ずれ防止テープ９、ラダーテープ４及びスラット５を巻取軸２に巻き取るとき、各スラット５は巻取軸２の外周面に沿って撓み、位置ずれ防止テープ９及びラダーテープ４は薄いテープであるので、巻取軸２の巻径を小さくすることができる。
（１１）布製のスラット５の前後両端部に袋状部７を備え、その袋状部７に支え棒８を挿入したことにより、中間部に可撓性を備えたスラット５を容易に形成することができる。また、袋状部７に支え棒８を挿入した剛性部により、スクリーン１０を平板状に維持することができる。
（１２）スラット５をラダーテープ４の横糸４ａ上に支持したことにより、巻取軸２の回転操作によりラダーテープ４を介してスラット５を回動させることができる。
（１３）位置ずれ防止テープ９により、スラット５の横ずれを防止することができる。
（１４）ガイドレール１３ａ，１３ｂにより、ボトムレール６の揺動を防止することができる。
（１５）案内ローラー１５により、スクリーン１０を前後方向に位置決めし、かつ垂直方向に維持した状態で昇降することができる。
（１６）巻取軸２の巻径を小さくすることができるので、この巻取り型ブラインドをエアフローシステムとして使用する場合には、巻取軸２を設置する収容部１７を縮小することが可能となる。
（１７）巻取り型ブラインドを用いてエアフローシステムを構成することにより、通常のインナーサッシュによるエアフローシステムと横型ブラインドとの機能を併せ持つことができるので、エアフローシステムの設置スペースを縮小することができる。
【００３７】
上記実施の形態は、以下の態様で実施してもよい。
・透明フィルム１２は、塩化ビニール以外の例えばポリエステル、ＰＥＴ等、他の合成樹脂フィルムを使用してもよい。
・スクリーン１０の織布１１は、ガラス繊維以外の材質の布でもよい。
【図面の簡単な説明】
【００３８】
【図１】巻取り型ブラインドを示す正面図である。
【図２】巻取り型ブラインドを示す側面図である。
【図３】巻取り型ブラインドを示す底面図である。
【図４】ラダーテープ及び位置ずれ防止テープを示す側面図である。
【図５】巻取軸に巻き取ったスラットを示す側面図である。
【図６】ラダーテープ及びスラットを示す斜視図である。
【図７】スクリーンを示す断面図である。
【図８】スラット及びスクリーンを巻き上げる状態を示す側面図である。
【図９】巻取り型ブラインドを使用したエアフローシステムを示す側面図である。
【符号の説明】
【００３９】
２…巻取軸、４…開閉部材（ラダーテープ）、４ａ…横糸、５…スラット、５ａ…挿通孔、６…ボトムレール、７…剛性部（袋状部）、８…剛性部（支え棒）、９…位置ずれ防止テープ、１０…スクリーン、１１…織布、１２…透明フィルム、１３ａ，１３ｂ…ガイドレール、Ｗ…窓面。
【図１】
0004771760.tif 000002
【図２】
0004771760.tif 000003
【図３】
0004771760.tif 000004
【図４】
0004771760.tif 000005
【図５】
0004771760.tif 000006
【図６】
0004771760.tif 000007
【図７】
0004771760.tif 000008
【図８】
0004771760.tif 000009
【図９】
0004771760.tif 000010